(57)【要約】【課題】使用者にとって足を置くべき位置を分かり易くすることができる便器を提供する。【解決手段】便器１は、平面視で円弧状の正面を有するスカート部２と、このスカート部２の内部に配置されるボウル部３と、このボウル部３の上部とスカート部２の上部とをつなぐ便座載置面部２４とを備えている。スカート部２の正面２ａの左右両側位置には、スカート部２の手前の床１１を照らす照明器具１０が組み込まれている。この照明器具１０の光軸は、正面方向を向いている。【選択図】図７
2008075303.tif 000002
【特許請求の範囲】
【請求項１】
平面視で円弧状の正面を有するスカート部と、このスカート部の内部に配置されるボウル部と、このボウル部の上部と前記スカート部の上部とをつなぐ便座載置面部とを備えた便器において、
前記スカート部の正面の左右両側位置には、スカート部の手前の床を照らす照明器具が組み込まれていることを特徴とする便器。
【請求項２】
前記照明器具の表面は、前記スカート部の正面と面一になるようになっていることを特徴とする請求項１に記載の便器。
【請求項３】
前記照明器具の光軸方向は、略平行に設定されていることを特徴とする請求項１に記載の便器。
【請求項４】
前記照明器具は、前記スカート部の正面から当該平面と略平行に窪む凹部を形成する筐体と、この筐体内に、平面視で前記凹部の底面に対して傾斜した状態で配設される基板と、この基板に実装されるＬＥＤとを有することを特徴とする請求項１に記載の便器。
【発明の詳細な説明】
【技術分野】
【０００１】
本発明は、便器に関するものである。
【背景技術】
【０００２】
従来、図９に示すように、スカート部２０と、スカート部２０の内部に配置されるボウル部３０と、このボウル部３０の上部とスカート部２０の上部とをつなぐ便座載置面部（リム部）４０とを備えた便器１００がある（特許文献１参照）。
【特許文献１】特許第３４３６００４号公報
【発明の開示】
【発明が解決しようとする課題】
【０００３】
このような便器１００においては、図１０に示すように、使用者が便器１００の手前に立って用を足すことがある。この場合、尿軌跡とボウル位置との関係から、予め定めた位置に使用者が足を置くことが望まれる。例えば、スカート部２０の前方への張り出し寸法Ｌ２が１５０ｍｍ程度である場合には、便器１００の先端から使用者のかかとまでの寸法Ｌ３は２００ｍｍ程度である。
【０００４】
そこで、スカート部２０の正面２０ａの左右両側位置にそれぞれ照明器具を取り付けて、これらの照明器具でスカート部２０の手前の床１１を照らすことにより、使用者に対して足を置くべき位置を知らせることが考えられる。例えば、使用者のかかとから距離Ｌ１（例えば２７０ｍｍ程度）の範囲を照らすようにする。
【０００５】
ところが、スカート部２０の正面２０ａは、平面視で円弧状になっているので、照明器具をそのまま取り付けたのでは、照明器具の光軸方向がスカート部の左右両側位置における正面の法線と一致し、図８（ｂ）に示すように、床１１に形成される照射形状Ｂが便器１００から見て斜め前方に延びるようになる。そうすると、使用者にとっては照射形状Ｂにどのように合わせて足を置いたらよいのかが分かり難く、足を置くべき位置が不明確となる。
【０００６】
本発明は、このような事情に鑑み、使用者にとって足を置くべき位置を分かり易くすることができる便器を提供することを目的とする。
【課題を解決するための手段】
【０００７】
請求項１の発明は、平面視で円弧状の正面を有するスカート部と、このスカート部の内部に配置されるボウル部と、このボウル部の上部と前記スカート部の上部とをつなぐ便座載置面部とを備えた便器において、前記スカート部の正面の左右両側位置には、スカート部の手前の床を照らす照明器具が組み込まれていることを特徴とするものである。
【０００８】
請求項２の発明は、請求項１に記載の便器において、前記照明器具の表面は、前記スカート部の正面と面一になるようになっていることを特徴とするものである。
【０００９】
請求項３の発明は、請求項１に記載の便器において、前記照明器具の光軸方向は、略平行に設定されていることを特徴とするものである。
【００１０】
請求項４の発明は、請求項１に記載の便器において、前記照明器具は、前記スカート部の正面から当該平面と略平行に窪む凹部を形成する筐体と、この筐体内に、平面視で前記凹部の底面に対して傾斜した状態で配設される基板と、この基板に実装されるＬＥＤとを有することを特徴とするものである。
【発明の効果】
【００１１】
請求項１の発明によれば、スカート部の左右両側位置に照明器具を組み込んだから、照明器具の光軸を正面方向に向けることが可能になり、これにより使用者の足元を照らすことができるようになる。従って、使用者は、床に形成される照明器具の照射形状の位置に足を置けばよいことを一目で認識することができるようになり、使用者にとって足を置くべき位置を分かり易くすることができる。
【００１２】
請求項２の発明によれば、照明器具の表面がスカート部の正面と面一になるようになっているので、意匠性に優れているとともに照明器具が障害物とならない。
【００１３】
請求項３の発明によれば、スカート部の正面の左右両側位置に設けた照明器具の光軸方向を略平行にしたから、照射形状が便器から真っ直ぐに前方に延びるようになる。このため、使用者は、照射形状に重ね合わせるようにして足を置けばよいことを把握することができるようになる。
【００１４】
請求項４の発明のように、照明器具が指向性の良いＬＥＤを有していれば、照明器具の照射形状をはっきりさせることができる。また、請求項２の発明では、基板の向きによって照明器具の光軸方向を設定することができるとともに、筐体で基板およびＬＥＤを保護することができる。
【発明を実施するための最良の形態】
【００１５】
以下、本発明を実施するための最良の形態について、図面を参照しながら詳細に説明する。
【００１６】
図１および図２に、本発明の一実施形態に係る便器１を示す。この便器１は、上下方向に延在する筒状のスカート部２と、このスカート部２の内部に配置されるボウル部３と、このボウル部３の上部とスカート部２の上部とをつなぐ便座載置面部２４とを備えている。また、便座載置面部２４の下部には、リム状の中空部２６が形成されている。
【００１７】
前記スカート部２、ボウル部３、および便座載置面部２４は、図２では、合成樹脂により一体に形成されているが、これらは、別々の部材で構成されていて、相互に接合されていてもよい。また、ボウル部３は、陶器製や金属製であってもよい。
【００１８】
スカート部２の上方には、背面側に支持部２５が設けられていて、この支持部２５に便座４および便蓋５が上下に揺動可能となるように取り付けられている。そして、便座４が下方に揺動したときには、当該便座４が便座載置面部２４に載置されるようになる。
【００１９】
スカート部２の正面２ａは、平面視で円弧状をなしたまま上方に向かうに連れて手前側に張り出しており、その下部の左右両側の左右対称な位置には、図３に示すように、縦長長方形状の開口２１がそれぞれ形成されている。そして、各開口２１の周縁部に、当該開口２１を塞ぐ蓋部材６が外側から着脱可能に装着されている。なお、図３は、右側の蓋部材６を取り外した状態を示す。
【００２０】
前記各蓋部材６は、スカート部２の正面２ａに沿う板状に形成されているとともに、開口２１の周縁部は一段落とし込まれていて、蓋部材６がスカート部２に装着されたときには、蓋部材６の表面がスカート部２の正面２ａと面一となるようになっている。
【００２１】
ここで、スカート部２が陶器製であってもかまわないが、陶器製とした場合には、開口２１の周縁部の落とし込みにより形成されるコーナー部分が丸みを帯びた形状になって、蓋部材６との間に隙間が形成されることになるため、スカート部２は樹脂製であることが好ましい。
【００２２】
また、各蓋部材６の下部には、当該蓋部材６を貫通する窓６１が設けられているとともに、各蓋部材６の裏面側には、図４に示すように、照明器具１０が取り付けられている。そして、蓋部材６がスカート部２に取り付けられることにより、照明器具１０が光軸を正面方向（スカート部２から前方）に向けた状態でスカート部に組み込まれるようになる。
【００２３】
前記照明器具１０は、窓６１を通じてスカート部２の手前の床１１を照らすものである（図８（ａ）参照）。図５および図６は、左側の照明器具１０を示す図である。なお、右側の照明器具１０は、図５および図６に示すものと勝手反対のものであるため、図示を省略する。
【００２４】
照明器具１０は、前方に開口する横長直方体容器状の筐体７と、上方に開口する収納部８１を有し、筐体７内に配設される基板保持部材７５と、この基板保持部材７５の収納部８１内に収納される基板８とを有している。そして、基板保持部材７５が透光性のある材料で構成されていて、基板８に光源であるＬＥＤ９が上下に並んで２つ実装されている。
【００２５】
前記筐体７の大きさは、蓋部材６の窓６１の大きさよりも僅かに小さく設定されていて、筐体７の前端部が窓６１内に嵌り込み可能となっている。また、筐体７の両側面には、中央よりも少し前側位置に固定部７１が設けられていて、この固定部７１が蓋部材６にねじ止めされることにより、筐体７の前端部が窓６１に嵌り込んだ状態で筐体７が蓋部材６に取り付けられるようになっている。すなわち、筐体７は、蓋部材６がスカート部２に装着されたときには、図７に示すように、スカート部２の左右両側位置における正面２ａの法線Ｌ２方向に開口して、スカート部２の正面２ａから当該平面２ａと略平行に窪む凹部を形成するようになる。そして、筐体７の底面７２が、前記凹部の底面を構成する。
【００２６】
なお、図示は省略するが、筐体７の開口には、透光性を有するとともに乳白色またはスカート部２と同系色に着色されたカバーが装着されるようになっており、このカバーの表面で構成される照明器具１０の表面がスカート部２の正面２ａと面一になるようになっている。そして、ＬＥＤ９から放射される光は、前記カバーを透過して床１１に到達する。
【００２７】
前記基板保持部材７５は、右側の照明器具１０の光軸方向Ｌ１と左側の照明器具１０の光軸方向Ｌ１とが略平行になるように、基板８を筐体７の底面７２に対して平面視で所定角度傾斜した状態で保持するものである。このため、図８（ａ）に示すように、床１１に形成される照明器具１０の照射形状Ａが便器１から真っ直ぐに前方に延びるようになって、床１１には、便器１の中心線に対して左右対称でかつ互いに略平行な一対の照射形状Ａが形成される。
【００２８】
このように、本実施形態の便器１では、スカート部２の左右両側位置に、光軸を正面方向に向けた状態で照明器具１０を組み込んだから、使用者の足元を照らすことができる。従って、使用者は、床１１に形成される照明器具１０の照射形状Ａの位置に足Ｆ（図７参照）を置けばよいことを一目で認識することができるようになり、使用者にとって足Ｆを置くべき位置を分かり易くすることができる。
【００２９】
また、照明器具１０の光軸方向Ｌ１を略平行にしたから、床１１に便器１から真っ直ぐに前方に延びる左右一対の照射形状Ａが形成されるため、使用者は、照射形状Ａに重ね合わせるようにして足Ｆを置けばよいことを把握することができるようになる。
【００３０】
さらに、図略のカバーの表面で構成される照明器具１０の表面がスカート部２の正面２ａと面一になるようになっているので、意匠性に優れているとともに照明器具１０が障害物とならない。なお、このカバーを省略すれば、照明器具１０でスカート部２の手前の床１１をスポット状に照らすことも可能である。
【００３１】
また、照明器具１０の光源は、指向性の良いＬＥＤ９であるので、照射形状Ａをはっきりさせることができる。さらに、ＬＥＤ９が実装された基板８が筐体７内に配設されているので、基板８の向きによって照明器具１０の光軸方向Ｌ１を設定することができるとともに、筐体７で基板８およびＬＥＤ９を保護することができる。
【００３２】
なお、前記実施形態では、照明器具１０がＬＥＤ９等で構成された形態を示したが、照明器具としては、例えばスポットライト等を採用することも可能である。この場合は、左右のスポットライトを光軸方向が略平行になるようにスカート部２に組み込めばよい。
【図面の簡単な説明】
【００３３】
【図１】本発明の一実施形態に係る便器の斜視図である。
【図２】便器の側面断面図である。
【図３】スカート部の正面図である。
【図４】スカート部の照明器具が取り付けられた部分を内側から見た斜視図である。
【図５】照明器具の斜視図である。
【図６】照明器具の分解斜視図である。
【図７】図２のVII−VII線での概略的な断面図である。
【図８】照明器具が床を照らす状態を示す平面図であり、（ａ）は本発明の一実施形態の場合、（ｂ）は従来の便器に照明器具をそのまま付けた場合を示す。
【図９】従来の便器の斜視図である。
【図１０】従来の便器の使用図である。
【符号の説明】
【００３４】
１    便器
２    スカート部
２４  便座載置部
３    ボウル部
６    蓋部材
７    筐体
８    基板
９    ＬＥＤ
１０  照明器具
１１  床
Ａ    照射形状
【図１】
2008075303.tif 000003
【図２】
2008075303.tif 000004
【図３】
2008075303.tif 000005
【図４】
2008075303.tif 000006
【図５】
2008075303.tif 000007
【図６】
2008075303.tif 000008
【図７】
2008075303.tif 000009
【図８】
2008075303.tif 000010
【図９】
2008075303.tif 000011
【図１０】
2008075303.tif 000012